(57)【要約】【課題】緊急情報が出された場合に、電子機器本体を起動させる操作装置を提供する。【解決手段】操作装置１０は、無線送信部１１と、オン釦１２と、オフ釦１３と、受信部１５と、制御部１６と、を備える。無線送信部１１は、電子機器本体２０を操作する第１信号を無線で送信する。オン釦１２は、電子機器本体２０の電源をオンにするために用いられる。オフ釦１３は、電子機器本体２０の電源をオフにするために用いられる。受信部１５は、緊急警報に関する第２信号及び緊急地震速報に関する第３信号の少なくとも一方を受信する。制御部１６は、オン釦１２及びオフ釦１３の操作の状況を保持し、保持した最新の状況がオフ釦１３の操作である場合に、受信部１５によって第２信号又は第３信号を受信すると、電子機器本体２０の電源をオンにするための第１信号としての電源オン信号を無線送信部１１から送信させる。【選択図】図１
2014057252.tif 000002
【特許請求の範囲】
【請求項１】
電子機器本体を操作する第１信号を無線で送信する無線送信部と、
電子機器本体の電源をオンにするためのオン釦と、
電子機器本体の電源をオフにするためのオフ釦と、
緊急警報に関する第２信号及び緊急地震速報に関する第３信号の少なくとも一方を受信する受信部と、
前記オン釦及び前記オフ釦の操作の状況を保持し、保持した最新の状況が前記オフ釦の操作である場合に、前記受信部によって前記第２信号又は前記第３信号を受信すると、電子機器本体の電源をオンにするための前記第１信号としての電源オン信号を前記無線送信部から送信させる制御部と、
を備える操作装置。
【請求項２】
前記制御部は、前記オン釦が操作された場合には、前記受信部によって前記第２信号又は前記第３信号を受信しても、前記電源オン信号を前記無線送信部から送信させない
請求項１に記載の操作装置。
【請求項３】
前記第２信号は、前記緊急警報の開始信号及び終了信号であり、
前記制御部は、前記受信部によって新しい開始信号を受信した後に前記終了信号を受信した場合、電子機器本体の電源をオフにするための前記第１信号としての電源オフ信号を前記無線送信部から送信させる
請求項１又は２に記載の操作装置。
【請求項４】
前記制御部は、前記受信部によって前記開始信号を受信することなく、前記終了信号を受信した場合には、前記電源オン信号及び前記電源オフ信号を前記無線送信部から送信させない
請求項３に記載の操作装置。
【請求項５】
前記制御部は、前記第３信号を前記受信部で受信したことに基づいて、前記電源オン信号を前記無線送信部から送信させた場合、所定時間を経過した後に、電子機器本体の電源をオフにするための前記第１信号としての電源オフ信号を前記無線送信部から送信させる
請求項１から４のいずれか１項に記載の操作装置。
【発明の詳細な説明】
【技術分野】
【０００１】
本発明は、電子機器本体を操作する操作装置に関する。
【背景技術】
【０００２】
大規模地震及び津波警報等に応じて、放送局が緊急警報放送を実施した場合に、電源がオフにされているテレビジョン等の電子機器を起動させることが望まれている。このため、電子機器には、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号に含まれる緊急警報放送用起動フラグを検出すると、放送チューナーと受信機とに電源を供給して、緊急警報放送を受信するタイプがある（特許文献１参照）。
【先行技術文献】
【特許文献】
【０００３】
【特許文献１】特開２００６−３１９７７１号公報
【発明の概要】
【発明が解決しようとする課題】
【０００４】
ところで、テレビジョン等の電子機器には、電子機器本体を操作するリモコンが付属する場合がある。近年は、リモコンに緊急情報の受信部を設けて、リモコンから送信される信号に基づいて電子機器本体を起動させることが望まれている。
【０００５】
本発明は、緊急情報が出された場合に、電子機器本体を起動させる操作装置を提供することを目的とする。
【課題を解決するための手段】
【０００６】
本発明の操作装置は、電子機器本体を操作する第１信号を無線で送信する無線送信部と、電子機器本体の電源をオンにするためのオン釦と、電子機器本体の電源をオフにするためのオフ釦と、緊急警報に関する第２信号及び緊急地震速報に関する第３信号の少なくとも一方を受信する受信部と、前記オン釦及び前記オフ釦の操作の状況を保持し、保持した最新の状況が前記オフ釦の操作である場合に、前記受信部によって前記第２信号又は前記第３信号を受信すると、電子機器本体の電源をオンにするための前記第１信号としての電源オン信号を前記無線送信部から送信させる制御部と、を備える。
【０００７】
前記制御部は、前記オン釦が操作された場合には、前記受信部によって前記第２信号又は前記第３信号を受信しても、前記電源オン信号を前記無線送信部から送信させないことが好ましい。
【０００８】
前記第２信号は、前記緊急警報の開始信号及び終了信号であることが好ましい。前記制御部は、前記受信部によって新しい開始信号を受信した後に前記終了信号を受信した場合、電子機器本体の電源をオフにするための前記第１信号としての電源オフ信号を前記無線送信部から送信させることが好ましい。
【０００９】
前記制御部は、前記受信部によって前記開始信号を受信することなく、前記終了信号を受信した場合には、前記電源オン信号及び前記電源オフ信号を前記無線送信部から送信させないことが好ましい。
【００１０】
前記制御部は、前記第３信号を前記受信部で受信したことに基づいて、前記電源オン信号を前記無線送信部から送信させた場合、所定時間を経過した後に、電子機器本体の電源をオフにするための前記第１信号としての電源オフ信号を前記無線送信部から送信させることが好ましい。
【発明の効果】
【００１１】
本発明によれば、緊急情報が出された場合に、電子機器本体を起動させる操作装置を提供することができる。
【図面の簡単な説明】
【００１２】
【図１】電子機器の一実施形態について説明するための機能ブロック図である。
【図２】操作装置の一例について説明するための図である。
【図３】操作装置の動作の一例について説明するためのフローチャートである。
【発明を実施するための形態】
【００１３】
以下、本発明の操作装置の一実施形態について説明する。図１は、電子機器１の一実施形態について説明するための機能ブロック図である。図２は、操作装置１０の一例について説明するための図である。
【００１４】
電子機器１は、例えば、地上ディジタルテレビジョン等である。電子機器１は、操作装置１０及び電子機器本体２０を備える。
電子機器本体２０は、例えば、放送波を受信して画像を表示する受像機等である。電子機器本体２０は、操作装置１０の後述する無線送信部１１から送信される第１信号を受信する。電子機器本体２０では、その第１信号に基づいて電源が制御される。
【００１５】
操作装置１０は、電子機器本体２０を操作するリモートコントローラーである。操作装置１０は、無線送信部１１と、オン釦１２と、オフ釦１３と、アンテナ１４と、受信部１５と、制御部１６と、を備える。
【００１６】
無線送信部１１は、電子機器本体２０を操作する後述する第１信号を無線で送信する。無線送信部１１は、発光ダイオードを備える。無線送信部１１は、発光ダイオードから第１信号としての赤外線信号を送信することにより、その第１信号を電子機器本体２０に送信する。無線送信部１１は、発光ダイオードを複数備えてもよい。一例として、図２に示すように、無線送信部１１は、発光ダイオード１１ａを４つ備えてもよい。この場合、各発光ダイオード１１ａは、筐体１０ａの側面それぞれに配される。これにより、操作装置１０は、電子機器本体２０に対して如何なる角度で置かれている場合でも、第１信号を電子機器本体２０に送信することができる。また、無線送信部１１は、発光ダイオードの代わりに、送信アンテナ（図示せず）を備えてもよい。無線送信部１１は、その送信アンテナから第１信号としての電磁波を放射することにより、その第１信号を電子機器本体２０に送信する。
【００１７】
オン釦１２は、電子機器本体２０の電源をオンにするために用いられる。オン釦１２は、操作装置１０を構成する筐体１０ａ（図２参照）の表面に配される。操作装置１０は、ユーザーによってオン釦１２が操作されると、電子機器本体２０の電源をオンにするための信号を無線送信部１１から送信させる。
【００１８】
オフ釦１３は、電子機器本体２０の電源をオフにするために用いられる。オフ釦１３は、操作装置１０を構成する筐体１０ａの表面に配される。操作装置１０は、ユーザーによってオフ釦１３が操作されると、電子機器本体２０の電源をオフにするための信号を無線送信部１１から送信させる。
【００１９】
受信部１５は、緊急警報に関する第２信号及び緊急地震速報に関する第３信号の少なくとも一方を受信する。すなわち、受信部１５は、アンテナ１４を介して、第２信号及び第３信号の少なくとも一方を受信する。第２信号及び第３信号は、テレビジョン又はラジオの放送波に含ませて放送局（図示せず）から送信される。その放送波には、携帯電話・移動体端末向けの１セグメント部分受信サービスの放送波も含まれる。
【００２０】
制御部１６は、オン釦１２及びオフ釦１３の操作の状況を保持し、保持した最新の状況がオフ釦１３の操作である場合に、受信部１５によって第２信号又は第３信号を受信すると、電子機器本体２０の電源をオンにするための第１信号としての電源オン信号を無線送信部１１から送信させる。制御部１６は、オン釦１２及びオフ釦１３の最も新しい操作の状況を保持する。制御部１６は、オン釦１２及びオフ釦１３のうち直近に操作された釦がオン釦１２の場合、オン釦１２が操作されたことを保持する。制御部１６は、オン釦１２及びオフ釦１３のうち直近に操作された釦がオフ釦１３の場合、オフ釦１３が操作されたことを保持する。制御部１６は、オフ釦１３が操作されたことを保持している場合に、第２信号及び第３信号のうちの少なくとも一方を受信部１５によって受信すると、電源オン信号を無線送信部１１から電子機器本体２０に送信させる。このとき、制御部１６は、通常時の電力に比べて高い電力で、電源オン信号を無線送信部１１から送信させることが可能である。通常時の電力とは、ユーザーの操作に応じて信号が電子機器本体２０に送信されるときに消費される電力のことである。これにより、電子機器本体２０は、電源オン信号を受信し易くなる。電子機器本体２０は、電源オン信号を受信すると、電源をオンにする。
【００２１】
制御部１６は、オン釦１２が操作された場合には、受信部１５によって第２信号又は第３信号を受信しても、電源オン信号を無線送信部１１から送信させない。すなわち、制御部１６は、オン釦１２が操作されたことを保持する場合に、第２信号及び第３信号のうちの少なくとも一方を受信部１５で受信しても、電源オン信号を無線送信部１１から送信させない。
なお、変形例として、制御部１６は、オン釦１２が操作されたことを保持する場合、受信部１５の機能を停止させてもよい。この変形例の場合、受信部１５の機能が停止することにより、電力の消費が低減される。
【００２２】
第２信号は、緊急警報の開始信号及び終了信号であることが好ましい。開始信号及び終了信号は、例えば、ＴＭＣＣ信号に含まれる緊急警報放送起動用フラグである。開始信号は、一例として、緊急警報放送起動用フラグが「０」から「１」になる場合の信号である。終了信号は、一例として、緊急警報放送起動用フラグが「１」から「０」になる場合の信号である。
【００２３】
制御部１６は、受信部１５によって新しい開始信号を受信した後に終了信号を受信した場合、電子機器本体２０の電源をオフにするための第１信号としての電源オフ信号を無線送信部１１から送信させる。すなわち、制御部１６は、例えば、緊急警報放送起動用フラグが「１」から「０」になった場合に、電源オフ信号を無線送信部１１から電子機器本体２０に送信させる。電子機器本体２０は、電源オフ信号を受信すると、電源をオフにする。
【００２４】
制御部１６は、受信部１５によって開始信号を受信することなく、終了信号を受信した場合には、電源オン信号及び電源オフ信号を無線送信部１１から送信させない。放送局から試験信号が送信されている場合には、受信部１５は、開始信号を受信することなく終了信号を受信する。これにより、操作装置１０は、放送局から試験信号が送信されている場合に、電子機器本体２０の電源をオンにすることを防ぐことができる。
【００２５】
制御部１６は、第３信号を受信部１５で受信したことに基づいて、電源オン信号を無線送信部１１から送信させた場合、所定時間を経過した後に、電子機器本体２０の電源をオフにするための第１信号としての電源オフ信号を無線送信部１１から送信させる。第３信号は、例えば、緊急地震速報の有無を識別する識別フラグであることが好ましい。所定時間は、緊急地震速報に関する放送が終了すると考えられる時間である。所定時間は、予め設定される。制御部１６は、緊急地震速報が含まれることを示す識別フラグを受信部１５で受信したことにより、電源オン信号を無線送信部１１から電子機器本体２０に送信した場合、例えば、電源オン信号を送信した時から所定時間が経過すると、電源オフ信号を無線送信部１１から電子機器本体２０に送信させる。
【００２６】
ここで、操作装置１０は、メモリ（図示せず）を備えてもよい。メモリには、電子機器本体２０から出力される放送番組のチャンネルを所定のチャンネルに設定する第１情報が記憶される。所定のチャンネルは、予め設定されてもよく、ユーザーによって設定されてもよい。
制御部１６は、受信部１５によって第２信号又は第３信号を受信した場合、メモリから第１情報を読み出して、第１情報を無線送信部１１から電子機器本体２０に送信させる。
すなわち、制御部１６は、オフ釦１３が操作されたことを保持している場合に、受信部１５によって第２信号又は第３信号を受信すると、メモリから第１情報を読み出して、電源オン信号と共に第１情報を無線送信部１１から電子機器本体２０に送信させる。電子機器本体２０は、電源オン信号及び第１情報を受信すると、電源をオンにすると共に、第１情報に基づいて電子機器本体２０から出力される放送番組のチャンネルを所定のチャンネルに設定する。
一方、制御部１６は、オン釦１２が操作されたことを保持している場合に、受信部１５によって第２信号又は第３信号を受信すると、メモリから第１情報を読み出して、第１情報を無線送信部１１から電子機器本体２０に送信させる。電子機器本体２０は、第１情報を受信すると、電源のオン状態を維持したまま、第１情報に基づいて電子機器本体２０から出力される放送番組のチャンネルを所定のチャンネルに設定する。
【００２７】
また、上述したメモリには、電子機器本体２０から出力される音の音量を所定の大きさにする第２情報が記憶されてもよい。所定の大きさの音量は、ユーザーが放送番組を聞き取り易い音量である。音の所定の大きさ（音量）は、予め設定されてもよく、ユーザーによって設定されてもよい。
制御部１６は、受信部１５によって第２信号又は第３信号を受信した場合、メモリから第２情報を読み出して、第２情報を無線送信部１１から電子機器本体２０に送信させる。
すなわち、制御部１６は、オフ釦１３が操作されたことを保持している場合に、受信部１５によって第２信号又は第３信号を受信すると、メモリから第２情報を読み出して、電源オン信号と共に第２情報を無線送信部１１から電子機器本体２０に送信させる。電子機器本体２０は、電源オン信号及び第２情報を受信すると、電源をオンにすると共に、第２情報に基づいて電子機器本体２０から出力される音の音量を所定の大きさに設定する。
一方、制御部１６は、オン釦１２が操作されたことを保持している場合に、受信部１５によって第２信号又は第３信号を受信すると、メモリから第２情報を読み出して、第２情報を無線送信部１１から電子機器本体２０に送信させる。電子機器本体２０は、第２情報を受信すると、電源のオン状態を維持したまま、第２情報に基づいて電子機器本体２０から出力される音の音量を所定の大きさに設定する。
【００２８】
なお、制御部１６は、第１情報及び第２情報の一方のみばかりでなく、第１情報及び第２情報の両方を無線送信部１１から電子機器本体２０に送信させてもよい。
【００２９】
次に、操作装置１０の動作の一例について説明する。図３は、操作装置１０の動作の一例について説明するためのフローチャートである。
【００３０】
ステップＳＴ１において、制御部１６は、オフ釦１３が操作されたか否かを判断する。オフ釦１３が操作されていない場合（ＮＯ）、制御部１６は、オン釦１２が操作されたとして、処理をステップＳＴ２に進める。オフ釦１３が操作された場合（ＹＥＳ）、制御部１６は、処理をステップＳＴ３に進める。
【００３１】
ステップＳＴ２において、制御部１６は、無線送信部１１から電源オン信号を送信しないように設定する。これは、電子機器本体２０の電源が既にオンになっているため、電源オン信号を電子機器本体２０に送信する必要がないからである。
【００３２】
ステップＳＴ３において、制御部１６は、第２信号又は第３信号を受信部１５で受信したか否かを判断する。第２信号又は第３信号を受信していない場合（ＮＯ）、制御部１６は、ステップＳＴ３の判断を再度行う。第２信号又は第３信号を受信した場合（ＹＥＳ）、制御部１６は、処理をステップＳＴ４に進ませる。
【００３３】
ステップＳＴ４において、制御部１６は、受信部１５で第２信号を受信したか否かを判断する。第２信号を受信していない場合（ＮＯ）には、制御部１６は、受信部１５で第３信号を受信したとして、処理をステップＳＴ５に進める。第２信号を受信した場合（ＹＥＳ）には、制御部１６は、処理をステップＳＴ８に進める。
【００３４】
ステップＳＴ５において、制御部１６は、無線送信部１１から電源オン信号を送信させる。
【００３５】
ステップＳＴ６において、制御部１６は、所定時間が経過したか否かを判断する。所定時間が経過していない場合（ＮＯ）、制御部１６は、ステップＳＴ６の判断を再度行う。所定時間が経過した場合（ＹＥＳ）、制御部１６は、処理をステップＳＴ７に進める。
【００３６】
ステップＳＴ７において、制御部１６は、無線送信部１１から電源オフ信号を送信させる。ステップＳＴ７の後、制御部１６は、処理を終了する。
【００３７】
ステップＳＴ４で「ＹＥＳ」と判断された場合、ステップＳＴ８において、制御部１６は、開始信号を受信したか否かを判断する。開始信号を受信していない場合（ＮＯ）、制御部１６は、受信部１５で終了信号を受信したとして、処理をステップＳＴ９に進める。開始信号を受信した場合（ＹＥＳ）、制御部１６は、処理をステップＳＴ１０に進める。
【００３８】
ステップＳＴ９において、電源オン信号及び電源オフ信号を無線送信部１１から送信しないように設定する。ステップＳＴ９の後、制御部１６は、処理を終了する。
【００３９】
ステップＳＴ８において「ＹＥＳ」と判断された場合、ステップＳＴ１０において、制御部１６は、無線送信部１１から電源オン信号を送信させる。
【００４０】
ステップＳＴ１１において、制御部１６は、受信部１５で終了信号を受信したか否かを判断する。終了信号を受信していない場合（ＮＯ）、制御部１６は、ステップＳＴ１１の判断を再度行う。終了信号を受信した場合（ＹＥＳ）、制御部１６は、処理をステップＳＴ１２に進める。
【００４１】
ステップＳＴ１２において、制御部１６は、無線送信部１１から電源オフ信号を送信させる。ステップＳＴ１２の後、制御部１６は、処理を終了する。
【００４２】
このような操作装置１０及び電子機器１によれば、以下の効果が奏される。
すなわち、操作装置１０は、オン釦１２及びオフ釦１３の操作の状況を保持し、保持した最新の状況がオフ釦１３の操作である場合に、受信部１５によって第２信号又は第３信号を受信すると、電子機器本体２０の電源をオンにするための第１信号としての電源オン信号を無線送信部１１から送信させる。これにより、操作装置１０は、電子機器本体２０の電源がオフの状態の場合に、電源オン信号を電子機器本体２０に送信するので、電子機器本体２０の電源をオンにすることができる。
【００４３】
なお、従来のリモートコントローラーは、電子機器本体の電源を操作する電源操作釦を１つのみ備える。このため、リモートコントローラーは、電子機器本体の電源をオンにする場合及び電源をオフにする場合のいずれの場合でも、電源操作釦が操作されると同一の制御信号を送信する。このため、本実施形態の受信部と、制御部と、無線送信部とを単純に従来のリモートコントローラーに配した場合、電子機器本体の電源がオンになっているときに、第２信号又は第３信号を受信部で受信することに基づいて無線送信部から制御信号を送信すると、電子機器本体の電源がオフにされてしまう。
この点、本実施形態の操作装置１０は、オン釦１２とオフ釦１３とを備えるため、電子機器本体２０の電源のオン／オフを制御する信号を異ならせることができる。よって、本実施形態の操作装置１０は、第２信号又は第３信号を受信部１５で受信した場合には、電子機器本体２０の電源を確実にオン状態にすることができる。
【００４４】
操作装置１０は、オン釦１２が操作された場合には、受信部１５によって第２信号又は第３信号を受信しても、電源オン信号を無線送信部１１から送信させない。これにより、操作装置１０は、電力の消費を低減することができる。
【００４５】
操作装置１０は、受信部１５によって新しい開始信号を受信した後に終了信号を受信した場合、電子機器本体２０の電源をオフにするための第１信号としての電源オフ信号を無線送信部１１から送信させる。これにより、操作装置１０は、緊急警報に関する放送が終了した場合に、電子機器本体２０の電源をオフにすることができる。
【００４６】
操作装置１０は、受信部１５によって開始信号を受信することなく、終了信号を受信した場合には、電源オン信号及び電源オフ信号を無線送信部１１から送信させない。これにより、操作装置１０は、緊急警報に関する放送が終了した場合には、電子機器本体２０の電源をオン又はオフにする必要がないので、電子機器本体２０の電源に関する現在の状態を維持することができる。
【００４７】
操作装置１０は、第３信号を受信部１５で受信したことに基づいて、電源オン信号を無線送信部１１から送信させた場合、所定時間を経過した後に、電子機器本体２０の電源をオフにするための第１信号としての電源オフ信号を無線送信部１１から送信させる。これにより、操作装置１０は、緊急地震速報に関する放送が終了するであろう場合に、電子機器本体２０の電源をオフにすることができる。
【００４８】
なお、上述した実施形態では、電子機器としてテレビジョンを例示して説明した。しかしながら、電子機器は、テレビジョンの例に限定されることはなく、例えば、ラジオ等であってもよい。
【符号の説明】
【００４９】
１…電子機器、１０…操作装置、１１…無線送信部、１２…オン釦、１３…オフ釦、１５…受信部、１６…制御部、２０…電子機器本体
【図１】
2014057252.tif 000003
【図２】
2014057252.tif 000004
【図３】
2014057252.tif 000005